(57)【要約】【課題】  収納して取り出すことのできるリン等の仏具を直接的に認識できるようにして、この仏具に関連する音を送出できるようにし、しかも関連する音の音響の向上を図り、更に、この音を墓参の人の動作に連動させて自然なタイミングで送出できるようにした。【解決手段】  リン等の仏具を収納可能な収納空間Ｒを有した本体３０と、この本体３０に設けられ収納空間Ｒを開閉する開閉扉４０とを備え、スピーカ５２を有し仏具に関連する音をオン作動によりスピーカ５２から送出する音響器機５１を備え、この音響器機５１の一部もしくは全部が収容される音響器機収容部５０を設け、この音響器機収容部５０を本体３０の収納空間Ｒに隣接しかつ仕切り壁５３で区画して設け、開閉扉４０の開時に本体３０の前に立った人の動きを検知しこの検知により音響器機５１をオン作動させるセンサ６０を設けた。【選択図】  図１
2005127083.tif 000002
【特許請求の範囲】
【請求項１】
リン等の仏具を収納可能な収納空間を有した本体と、該本体に設けられ収納空間を開閉する開閉扉とを備えた墓用収納庫において、
スピーカを有し上記仏具に関連する音をオン作動により上記スピーカから送出する音響器機を備え、該音響器機の一部もしくは全部が収容される音響器機収容部を設け、該音響器機収容部を上記本体の収納空間に隣接しかつ仕切り壁で区画して設け、上記開閉扉の開時に上記本体の前に立った人の動きを検知し該検知により上記音響器機をオン作動させるセンサを設けたことを特徴とする墓用収納庫。
【請求項２】
上記スピーカを、上記仏具に関連する音を上記収納空間を通して送出可能に配置したことを特徴とする請求項１記載の墓用収納庫。
【請求項３】
上記音響器機を、上記仏具に関連する音を記憶したレコーダと、該レコーダの上記仏具に関連する音を再生する再生部とを備えて構成し、該再生部の再生により上記スピーカから上記仏具に関連する音を送出可能にしたことを特徴とする請求項１または２記載の墓用収納庫。
【請求項４】
上記レコーダが記憶する仏具に関連する音をリンの音で構成したことを特徴とする請求項１，２または３記載の墓用収納庫。
【発明の詳細な説明】
【技術分野】
【０００１】
本発明は、墓に設けられる墓用収納庫に係り、特に、リン等の仏具を収納可能な収納空間を有した墓用収納庫に関する。
【背景技術】
【０００２】
一般に、墓参の際に、例えば、仏具として金属製カップ状のリンで説明すると、故人の供養のためにこのリンを持参する墓参者がいる。
しかし、いちいちリンを持参するのは煩雑であることから、お墓にリンを常備することが考えられる。この際、お墓の前に単にリンを置くようすると、野ざらしになるので、雨水によりリンが錆びたり、リン内に水が溜まったりしてしまうという不都合があり、そのため、お墓の前に墓用収納庫を置き、その中にリンを風雨にさらされない状態で保管する。
この種の墓用収納庫としては、例えば、特許文献１（特開２００１−２４１２１５号公報）に記載されたものが知られている。
【０００３】
図７に示すように、この墓用収納庫Ｓａは、墓の台座１ａの上に設けられ、この台座１ａに側壁２及び天井壁３を備えたボックス状の本体１を設けて、この本体１の内部にリンＢａを収納する収納空間Ｒａを備え、その前面に形成された開口部４には収納空間Ｒａを開閉するスライド自在な開閉扉５が組み込まれている。
台座１ａには、これに固定された基板６が設けられ、この基板６に、この基板６に対して前後にスライド可能に設けられるスライド台７を設け、このスライド台７にリンＢａが載置されている。
【０００４】
そして、墓参の際には、この墓用収納庫Ｓａの開閉扉５を左右にスライドさせて開き、収納空間Ｒａ内に収納されたリンＢａを露出させる。
そして、スライド台７の取手８を持って、スライド台７を前方に引き出してリンＢａを、収納空間Ｒａから出す。そして、収納空間Ｒａから引き出されたリンＢａに対し、スライド台７上に設けたリン棒９を取り出して、リンＢａを叩く。
墓参が終了して帰る際には、リン棒９を元位置に収めた後、スライド台７の取手８を持って、スライド台７を後方に押しやり、開閉扉５を移動させて開口部４を閉じる。
【０００５】
しかしながら、このようにリンＢａを墓用収納庫Ｓａに常備していても、手を合わせる前に、逐一、墓用収納庫ＳａからリンＢａを引き出し、リン棒９に手をのばして、リンＢａを鳴らさなければならないので、作業が面倒になることから、墓参者のほとんどが線香を上げて手を合わせるだけで墓参をすましてしまい、利用されにくいという問題があった。また、墓参の参列者が多く後の人がひかえている場合等、後続の人に気を遣い、リンＢａを鳴らす人は更に少なくなってしまう。
【０００６】
そこで、墓に音響設備を設けて、リンの音を自動で鳴らすようにしたものが考えられる。このタイプの墓としては、例えば、特許文献２（特開２００２−１２１９３１号公報）に記載されたものが知られている。
【０００７】
このタイプの墓は、墓石に、音声記録再生装置を格納して構成されている。
図８に示すように、この音声記録再生装置Ｄには、防水性の筐体１５と太陽電池パネル２４とが備えられている。この筐体１５内部には、分岐回路１６と、音声データの記憶メモリ及びマイクロコンピュータを備えたＩＣレコーダ１７と、アンプ１８と、スピーカ１９と、蓄電池２０とが格納されている。
ＩＣレコーダ１７には音声再生用のスイッチ２１と外部からの音声データを記憶させるためのスイッチ２２と、外部データ入力出力用の端子ソケット２３が接続されている。また、ＩＣレコーダ１７からの音声データは、アンプ１８を介してスピーカ１９から出力される。
蓄電池２０は、ＩＣレコーダ１７とアンプ１８とに電力を供給している。
【０００８】
この音響設備を使用する際には、予め、ＩＣレコーダ１７にリンの音を音声データとして記憶させておく。そして、墓参の際にＩＣレコーダ１７のスイッチ２１を入れて、スピーカ１９からリンの音を出力させる。
【０００９】
【特許文献１】特開２００１−２４１２１５号公報
【特許文献２】特開２００２−１２１９３１号公報
【発明の開示】
【発明が解決しようとする課題】
【００１０】
ところで、このような特許文献２に記載される墓にあっては、リンが現実に墓には無いので、違和感があり、かえって墓参者の墓参の雰囲気を損ねてしまうことがあるという問題があった。
この問題の解決のために、特許文献１記載の墓用収納庫Ｓａに、特許文献２記載の音声記録再生装置Ｄを設け、リンＢａを見ながら音が聞こえるようにすることが考えられる。
しかしながら、単に音声記録再生装置Ｄを設けても、スピーカから発する音がリン以外のところから聞こえ、その場にあるリンに結びつく音のようには聞こえないことがあり、違和感が払拭できないという欠点がある。また、単に音声記録再生装置Ｄを設けても、音響が必ずしも良くないという問題もあった。
更に、スイッチ２１が手動なので、スイッチ２１を入れるとリンの音が流れ続けることになり、機械的になってしまいこの点でも、違和感を生じさせてしまうという問題があった。
【００１１】
本発明は上記の問題点に鑑みて為されたもので、収納して取り出すことのできるリン等の仏具を直接的に認識できるようにして、この仏具に関連する音を送出できるようにし、しかも関連する音の音響の向上を図り、更に、この音を墓参の人の動作に連動させて自然なタイミングで送出できるようにした墓用収納庫を提供することを目的とする。
【課題を解決するための手段】
【００１２】
このような目的を達成するための本発明の墓用収納庫は、リン等の仏具を収納可能な収納空間を有した本体と、該本体に設けられ収納空間を開閉する開閉扉とを備えた墓用収納庫において、スピーカを有し上記仏具に関連する音をオン作動により上記スピーカから送出する音響器機を備え、該音響器機の一部もしくは全部が収容される音響器機収容部を設け、該音響器機収容部を上記本体の収納空間に隣接しかつ仕切り壁で区画して設け、上記開閉扉の開時に上記本体の前に立った人の動きを検知し該検知により上記音響器機をオン作動させるセンサを設けている。
【００１３】
この墓用収納庫を用いる場合は、まず、開閉扉を開ける。すると、本体の収納空間に収納された仏具が現われて、墓参者の視界に仏具が入るようになる。そして、墓参者が本体の前で墓参の動作を行なうと、センサがこの動作を検知して音響器機をオン作動させる。
音響器機が作動すると、収納空間に収納された仏具に関連する音がスピーカから送出される。
【００１４】
この際、スピーカから送出された仏具に関連する音は、本体から出て墓参者に到達する。
また、この際、収納空間及び音響器機収容部内は、スピーカボックスのようになり、スピーカから送出された音が共鳴するので、音響が向上させられる。
【００１５】
そして、墓参者は、開閉扉を開いた状態にして墓参を行なう。
この際、墓参者は、本体の前に近づくだけで収納空間内の仏具を操作しなくても自動的に、その仏具に関連する音を聞くことができ、墓参の雰囲気を一層醸し出すことができる。
墓参が終わり次の墓参までこの墓用収納庫を不使用にする際には、開閉扉を閉めさえすればセンサが本体の前に立った人の動作を検知しなくなるので、音響器機がオン作動しなくなる。
また、開閉扉を閉めないで帰った場合でも、本体の前に人が立たない限り音が出ないので、この墓用収納庫が設けられる墓とは他の墓に墓参しにきた人に迷惑を掛けにくくなる。
この状態で、次に墓参するまで待機する。
【００１６】
また、必要に応じ、上記スピーカを、上記仏具に関連する音を上記収納空間を通して送出可能に配置している。
これにより、スピーカから送出されたリンの音は、収納空間に収納された仏具の周囲を通って本体の開口から出て行くようになる。そのため、墓参者は、このスピーカから送出された仏具に関連する音を、収納空間に収納された仏具に関連する音として直接的に認識できるようになり、それだけ墓参の雰囲気が盛り上がる。
【００１７】
更に、必要に応じ、上記音響器機を、上記仏具に関連する音を記憶したレコーダと、該レコーダの上記仏具に関連する音を再生する再生部とを備えて構成し、該再生部の再生により上記スピーカから上記仏具に関連する音を送出可能にしている。
レコーダに仏具に関連する音を記憶しておけば良くなり、それだけ利便性が向上させられる。
【００１８】
更にまた、必要に応じ、上記レコーダが記憶する仏具に関連する音をリンの音で構成している。
そのため、収納空間内のリンを叩かなくてもリンの前に立つだけでリンの音を自動的に聞けるようになり、また、センサが人の動きを検知したときのみリンの音が送出されるので、自然なタイミングでリンの音が送出されることから、違和感が無く、墓参の雰囲気を一層醸し出せるようになる。
【発明の効果】
【００１９】
本発明の墓用収納庫によれば、開閉扉の開時に本体の前に立った人の動きをセンサで検知し、この検知により音響器機をオン作動させ、仏具に関連する音をスピーカから送出するので、墓の前で人が墓参の動作を行なうと、この動作と連動させて仏具に関連する音が自然なタイミングで送出できるようになり、墓参者は違和感なく墓参することができる。
また、音響器機の一部もしくは全部が収容される音響器機収容部を設け、音響器機収容部を本体の収納空間に隣接しかつ仕切り壁で区画して設けたので、音響器機を目隠しでき、また、音響器機収容部及び収納空間が、スピーカボックスのような働きをするので、音響を良くすることができる。
【００２０】
更に、スピーカを、仏具に関連する音を収納空間を通して送出可能に配置した場合には、収納したリン等の仏具をその音とともに直接的に認識できるようになり、違和感なく聞くことができる。
【発明を実施するための最良の形態】
【００２１】
以下、添付図面に基づいて、本発明の実施の形態に係る墓用収納庫について詳細に説明する。
【００２２】
図１乃至図６には、本発明の実施の形態に係る墓用収納庫Ｓを示している。
この墓用収納庫Ｓは、例えば、墓Ｇの前に設けられ、その基本的構成は、リンＢ等の仏具を収納可能な収納空間Ｒを有した本体３０と、この本体３０に設けられ収納空間Ｒを開閉する開閉扉４０とを備えている。
本体３０は、例えば、前面３１，背面３２，上面３３，下面３４及び両側面３５を有した矩形箱状に形成されている。本体３０の前面３１の中央には、収納空間Ｒの内部に仏具を出し入れするための開口３６が形成されている。
【００２３】
この本体３０の前面３１，上面３３，下面３４及び両側面３５は、この墓用収納庫Ｓが設けられる墓Ｇと同一の石材により、板状に形成されている。
また、この本体３０の背面３２は、墓Ｇの棹２７が載せられる石の台の一部により構成されている。本発明の実施の形態においては、本体３０の背面３２は墓Ｇの中台２８の前面で構成され、本体３０の上面３３，下面３４及び両側面３５の背面３２側の端面は、墓Ｇの中台２８の前面に固設されている。
本体３０の上面３３は、花や供物等を載置する供物台として使用される。
符号３７は、本体３０の上面３３に設けられた供物台の飾りである。
【００２４】
また、本体３０の前面３１側の下面３４及び上面３３には、開閉扉４０の動きをガイドする敷居３８及びかも居３９が夫々設けられている。
開閉扉４０は、例えば、本体３０と同じ石材が用いられ、中央から左右外側に向けて開かれる２枚の引き戸により形成されている。
開閉扉４０の表面の外周部には、把手として機能する枠状の装飾凸部４１が形成されている。
【００２５】
収納空間Ｒには、仏具としてのリンＢ及びリン棒４５が収納されている。
また、この墓用収納庫Ｓには、スピーカ５２を有し仏具に関連する音をオン作動によりスピーカ５２から送出する音響器機５１が備えられている。
音響器機５１は、例えば、音響器機５１の送出する音としてリンＢの音データを記憶したレコーダ５５と、このレコーダ５５に記憶されたリンＢの音データを再生する再生部５６とを備え、再生部５６の再生によりスピーカ５２からリンＢの音を送出可能に構成されている。
レコーダ５５には、例えば、フラッシュメモリ等の不揮発性メモリ５８が装着される。この不揮発性メモリ５８には、例えば、予めリンＢの音をサンプリングし、パソコン等の操作によりリンＢの音データを記憶しておく。
【００２６】
再生部５６は、レコーダ５５に記憶されたリンＢの音データを読みとって増幅し、スピーカ５２からリンＢの音を送出するものである。
また、この再生部５６は、スピーカ５２からリンＢの音を一定間隔空けて繰り返し送出する構成としている。このリンＢの音の回数と、リンＢの音の間隔は、この墓用収納庫Ｓを使用する使用者により適宜調整が可能である。
また、この墓用収納庫Ｓには、この音響器機５１に電力を供給するバッテリ５７が備えられている。バッテリ５７は、例えば、太陽電池により充電できるようにしてよい。
【００２７】
更に、この墓用収納庫Ｓには、音響器機５１の全部が収容される音響器機収容部５０が設けられている。この音響器機収容部５０は、本体３０の収納空間Ｒに隣接しかつ仕切り壁５３で区画して左右に一対設けられている。実施の形態においては、そのうち一方（図１中、右側）が使用されている。他方を用いて、例えば、別のスピーカを収納するようにしても良い。
仕切り壁５３は、例えば、本体３０と同一の石材により構成され、その断面は、Ｌ字状に形成されている。この仕切り壁５３は、前面３１中央の開口３６縁部から本体３０の背面３２に亘って設けられている。
【００２８】
また、仕切り壁５３には、音響器機５１のスピーカ５２から送出された音が通過する音通過孔５４が設けられている。
音通過孔５４は、収納空間Ｒと音響器機収容部５０とを連通するように設けられ、円形状に形成されている。
また、音響器機収容部５０に収容された音響器機５１のスピーカ５２は、リンＢの音を収納空間Ｒを通して送出可能に配置されている。スピーカ５２から送出されたリンＢの音は、音響器機収容部５０から音通過孔５４を介して収納空間Ｒに到達し、それから本体３０の開口３６から本体３０の外部に送出される。
【００２９】
更にまた、この墓用収納庫Ｓには、開閉扉４０の開時に本体３０の正面に立った人の動きを検知しこの検知により音響器機５１をオン作動させるセンサ６０が設けられている。
このセンサ６０は、例えば、図１及び図４に示すように、音響器機５１に接続され、収納空間Ｒの上面３３に取り付けられている。
音響器機５１は、センサ６０からの信号が入ったときのみタイマ設定した所定時間（例えば、１０〜２０秒）オン作動させられる。オン作動中においては、例えば、タイマ設定が２０秒のものでは、リンＢの音を所定時間の最初の２〜３秒の間に２回（チーン，チーン）〜３回（チーン，チーン，チーン）程度鳴らせ、残りの１７〜１８秒は余韻音としている。タイマ作動中においては、センサ６０が人の動きを検知しても、音響器機５１はリセットされない。そして、所定時間経過後に、次にセンサ６０が人の動きを検知するまでオフ作動で待機する。
【００３０】
従って、墓参の際には、まず、墓用収納庫Ｓの開閉扉４０の凸部４１に手を掛けて、開閉扉４０を開ける。すると、本体３０の開口３６から収納空間Ｒに収納された仏具が現われ始める。即ち、墓参者の視界に、収納空間Ｒ内に収納されたリンＢが入るようになる。
【００３１】
開閉扉４０が開かれて、収納空間Ｒ内のセンサ６０が開閉扉４０から露出すると、センサ６０が本体３０の正面に立った人の動きの検知を始める。
墓参者が、例えば、墓Ｇに近づく，線香を上げる，手を合わせる，墓Ｇから退く等の動作をすると、この動作をセンサ６０が検知する。これにより、音響器機５１がオン作動する。そして、音響器機５１がオン作動すると、音響器機５１の再生部５６がレコーダ５５に記憶されたリンＢの音データを読みとって増幅するとともに、この増幅されたリンＢの音をスピーカ５２から送出させる。
【００３２】
この場合、センサ６０の検知により、音響器機５１がオン作動するので、逐一、手動で音響器機５１のスイッチを入れる作業が不要になり、それだけ煩雑さが解消される。
また、開閉扉４０を開いた状態で、本体３０の前で人が動作をしていることをセンサ６０が検知するごとに、リンＢの音がスピーカ５２から送出されるので、リンＢの音が墓参の動作と連動して自然なタイミングで送出されるようになり、墓参者の動作と調和し、違和感が防止され、墓参の雰囲気が一層盛り上がる。
【００３３】
音響器機５１のスピーカ５２から送出されるリンＢの音は、音通過孔５４を通って本体３０から出て行く。そのため、仕切り壁５３により音が遮られなくなり、そのまま本体３０の開口３６から送出される。
また、このスピーカ５２から送出されたリンＢの音は、収納空間Ｒに収納されたリンＢの周囲を通って本体３０の開口３６から出て行く。そのため、墓参者が、このスピーカ５２から送出されたリンＢの音を、収納されたリンＢが鳴っているように聴くことができる。
即ち、墓参者は、リンＢの前に立ったときあたかもリンＢから音が発せられているかのように、スピーカ５２から送出された音を認識するようになるので、墓参者の墓参の雰囲気を盛り上げることができる。
【００３４】
そして、墓参者は、開閉扉４０を開いた状態にして墓参を行なう。
また、音響器機５１は、仕切り壁５３により区画された音響器機収容部５０に収容されるので、音響器機５１が開口３６から露出せず墓参者からは見えなくなり、音響器機５１からの音として認識され難くなり、墓参の雰囲気を壊されないようになる。
また、墓参の際にリンＢの音が不要の場合は、開閉扉４０を閉めたままで墓参を行なう。
この際、センサ６０は、開閉扉４０に遮られて人の動きを検知しなくなるので、音響器機５１のオン作動が行なわれず、リンＢの音は送出されない。
【００３５】
墓参が終わり次の墓参までこの墓用収納庫Ｓを不使用にする際には、左右の開閉扉４０を閉める。
この際、リンＢの音が不要な場合と同様に、センサ６０は、開閉扉４０に遮られて人の動きを検知しなくなるので、音響器機５１のオン作動が行なわれず、リンＢの音は送出されなくなる。
【００３６】
尚、本発明の実施の形態においては、仏具をリンＢとしたが、これに限定されるものでなく、例えば、木魚等の別の仏具であってもよい。
また、本発明の実施の形態においては、仏教の墓Ｇで説明したがこれに限定されるものでなく、仏教以外の墓の場合、例えば、収納空間Ｒに故人の生前の写真等、故人を追憶する物を収納するようにし、レコーダ５５に故人が生前好きだった曲等を記憶して故人を追憶する音響を流すようにしてもよく、これに限定されるものでない。
【００３７】
尚また、レコーダ５５に不揮発性メモリ５８を備えて構成したが、これに限定されるものでなく、ハードディスクドライブ，ＣＤ−ＲＯＭ，ＤＶＤ−ＲＯＭ，ＤＡＴ，カセットテープ等の記憶媒体であってもよい。
尚また、バッテリ５７を太陽電池で充電する場合は、例えば、本体３０の上面３３をくり抜いて太陽電池パネルを設置し、墓参以外のときは、バッテリ５７に太陽電池パネルから電力を供給するようにすればよい。
尚また、音響器機収容部５０に音響器機５１の全てを収納したが、これに限定されるものでなく、例えば、スピーカ５２を本体３０の収納空間Ｒ側の上面に取り付けるようにしてもよく、適宜変更して差し支えない。
【図面の簡単な説明】
【００３８】
【図１】本発明の実施の形態に係る墓用収納庫を示す断面図である。
【図２】本発明の実施の形態に係る墓用収納庫を墓とともに示す正面図である。
【図３】本発明の実施の形態に係る墓用収納庫を墓とともに示す側面図である。
【図４】本発明の実施の形態に係る墓用収納庫を示す一部切り欠いた斜視図である。
【図５】本発明の実施の形態に係る墓用収納庫の一部を示す機能ブロック図である。
【図６】本発明の実施の形態に係る墓用収納庫の開閉扉の開閉状態を示す斜視図である。
【図７】従来の墓用収納庫の一例を示す図である。
【図８】従来の墓に設けた音響器機の一例を示す図である。
【符号の説明】
【００３９】
Ｓ  墓用収納庫
Ｇ  墓
Ｒ  収納空間
Ｂ  リン
３０  本体
３１  前面
３２  背面
３３  上面
３４  下面
３５  両側面
３６  開口
３７  飾り
３８  敷居
３９  かも居
４０  開閉扉
４１  凸部
４５  リン棒
５０  音響器機収容部
５１  音響器機
５２  スピーカ
５３  仕切り壁
５４  音通過孔
５５  レコーダ
５６  再生部
５７  バッテリ
５８  不揮発性メモリ
６０  センサ
【図１】
2005127083.tif 000003
【図２】
2005127083.tif 000004
【図３】
2005127083.tif 000005
【図４】
2005127083.tif 000006
【図５】
2005127083.tif 000007
【図６】
2005127083.tif 000008
【図７】
2005127083.tif 000009
【図８】
2005127083.tif 000010